(57)【要約】      （修正有）【課題】モップに自転機能を与え、自ら水を絞ることができる自転モップを提供する。【解決手段】自転モップは回転体と軸方向に該回転体を貫通するネジ孔、該ネジ孔に軸方向にねじ込まれるスクリュー、該スクリューに嵌合される単方向軸受、第２端が該回転体の第１端に緊密に組み合わされる伸縮ロッド２、該伸縮ロッド２の第１端に結合される払拭体取付部４、該スクリュー周囲に嵌合され、相互に結合された該回転体と該伸縮ロッド外部に第１端がスライド自在に組み合わされ、第２端が該スクリューの第２端に接合された押し棒３と、を包含し、該払拭体取付部４を自由回転可能な脱水籠中に置き、該押し棒３を押下げることで、該伸縮ロッドを該押し棒３に対し縮入させると、該回転体が該伸縮ロッド、該払拭体取付部４及び脱水籠を駆動して遠心力を発生し、払拭体の水分を脱水籠より放出する。【選択図】図１
0003162745.tif 000002
【実用新案登録請求の範囲】
【請求項１】
自転モップにおいて、
互いに対向する第１端と第２端、及び該第１端と第２端を軸方向に貫通するネジ孔を具えた回転体と、
互いに対向する第１端と第２端を具え、軸方向に該ネジ孔に挿入され、単方向軸受が嵌合されたスクリューと、
空心体とされて、互いにに対向する第１端と第２端を具え、その第２端が該回転体の第１端に緊密に組み合わされた伸縮ロッドと、
該伸縮ロッドの第１端に接続された払拭体取付部と、
空心体とされて、互いに対向する第１端と第２端を具え、該スクリュー周囲に嵌合され、その第１端がスライド自在に、相互に連結された該回転体及び該伸縮ロッド外部に組み合わされ、第２端が該スクリューの第２端に接合された押し棒と、
を包含し、該払拭体取付部が定点で自転する脱水籠中に置かれ、該伸縮ロッドが押下られて該伸縮ロッドが該押し棒に縮入すると、該回転体が該伸縮ロッドを駆動し、該払拭体取付部及び該脱水籠が回転し、その発生する延伸力が払拭体の水分を該脱水籠より放出させることを特徴とする自転モップ。
【請求項２】
請求項１記載の自転モップにおいて、該伸縮ロッドと該払拭体取付部の間に延長ロッドが接続されたことを特徴とする自転モップ。
【請求項３】
請求項１記載の自転モップにおいて、該押し棒と該伸縮ロッドの間に固定部材が設置されたことを特徴とする自転モップ。
【請求項４】
請求項３記載の自転モップにおいて、該固定部材は内スリーブと外スリーブを包含し、該内スリーブが該伸縮ロッドの第２端に嵌合され、該外スリーブが該押し棒の第１端に嵌合され、該内スリーブと該外スリーブが対応する接合構造により結合されて、該伸縮ロッドと該押し棒の相対長さを固定し、該内スリーブと該外スリーブの対応する接合構造の接合が解除される時、該伸縮ロッドが該押し棒内に縮入可能とされることを特徴とする自転モップ。
【請求項５】
請求項１記載の自転モップにおいて、該スクリューの第１端に位置制限部材が設けられ、該回転体の該スクリューからの離脱が防止されたことを特徴とする自転モップ。
【請求項６】
請求項５記載の自転モップにおいて、該位置制限部材がリング片とピンを包含し、該リング片は該回転体の下方のスクリューの第１端に嵌合され、該ピンは該リング片の下方の該スクリューに挿入されることを特徴とする自転モップ。
【請求項７】
請求項１記載の自転モップにおいて、該押し棒の第２端を収容する内室を具えた滑止めカバーがさらに設けられたことを特徴とする自転モップ。
【請求項８】
請求項７記載の自転モップにおいて、該単方向軸受が該スクリューの第２端に嵌合されたことを特徴とする自転モップ。
【請求項９】
請求項１記載の自転モップにおいて、該単方向軸受が該回転体と該スクリューの間に設置されたことを特徴とする自転モップ。
【請求項１０】
請求項１記載の自転モップにおいて、該スクリューの第２端の下方にストッパが嵌合され、該ストッパと該押し棒の第２端が緊密に組み合わされたことを特徴とする自転モップ。
【請求項１１】
請求項８記載の自転モップにおいて、該滑止めカバー及び該単方向軸受の間にブシュが設置されたことを特徴とする自転モップ。
【考案の詳細な説明】
【技術分野】
【０００１】
本考案は一種の掃除用具のモップに係り、特に、自身が回転可能で、遠心力により水分を放出する設計に関する。
【背景技術】
【０００２】
一般にモップは、払拭体取付部を有し、該払拭体取付部の下方に複数の布ストリップ、綿材或いは毛材などの吸収性を有する材料で製造された払拭体が取り付けられる。払拭体取付部の上方にはハンドルバーが設けられ、使用者がハンドルバーを操作することで、払拭体を水中に漬けて水分を吸収させた後に水分を絞ることができ、床を払拭するのに使用することができる。早期のモップは払拭体の水を絞るのに力が要り、不便であり、このため、後に改良された設計には、ハンドルバーに挟持装置を設けて、払拭体に水を含ませた後に、使用者が挟持装置を操作して水分を絞ることができるものがある。しかし、このような挟持装置を操作するのは、十分に便利であるとはいえず、且つ払拭体の水を絞る程度も不均一である。
【０００３】
最近市場において、モップ水切り容器が提供されている。その構造は、外筒内に外筒に対して回転する内筒が設けられ、内筒は中空状とされ、電動或いは手動で操作することで内筒を外筒内で回転させることができる。払拭体に水を含ませた後、払拭体を該内筒中に置き、その後、電源オンするか手動で操作して内筒を急速回転させ、遠心力を発生させて払拭体の水分を放出させ、僅かに適当な水分を保留して床の払拭が行えるようにする。
【考案の概要】
【考案が解決しようとする課題】
【０００４】
本考案の目的は、自身が自転機能を有するモップを提供することにあり、該モップは水分を吸収後に、動力を具備せず、且つ自由回転可能な内桶を具えた容器内に挿入され、該モップに軸方向の作用力が加えられた時、該モップに自転を発生させることができ、これにより遠心力を発生させて払拭体が吸収した水分を該内桶内に放出させることができるものとする。
【課題を解決するための手段】
【０００５】
本考案の自転モップの技術特徴は、回転体と該回転体を軸方向に貫通するネジ孔、該ネジ孔に軸方向にねじ込まれ、単方向軸受が嵌合されたスクリュー、第２端が該回転体の第１端に緊密に組み合わされる伸縮ロッド、該伸縮ロッドの第１端に結合される払拭体取付部、該スクリュー周囲に嵌合され、相互に結合された該回転体と該伸縮ロッド外部に第１端がスライド自在に組み合わされ、第２端が該スクリューの第２端に接合された押し棒と、を包含することにある。
【０００６】
自転モップが自由回転可能な脱水籠中に置かれ、該押し棒が押下げられると、該伸縮ロッドが該押し棒に対して縮入し、該伸縮ロッドが該回転体を押動して該スクリューに沿って回転させ、並びに動機に該伸縮ロッド、払拭体取付部及び脱水籠が駆動され自転し、遠心力を発生し、払拭体の水分を脱水籠より放出する。
【０００７】
本考案の回転動作を完成するための技術手段の一つは、単方向軸受が該スクリューの第２端に嵌合されることである。押し棒に対して軸方向の下圧力を加えることで、伸縮ロッドを押し棒に縮入させ、この時、単方向軸受の作用により、スクリューは回転せず、強制的に回転体がスクリューの行程に沿って回転し並びに上向きに移動し、伸縮ロッドを駆動して回転させ、これにより払拭体取付部を同時に回転させて遠心力を発生させ、該遠心力により払拭体に含まれる水分が放出される。
【０００８】
本考案の回転動作を完成するための技術手段の二つ目は、単方向軸受がスクリューと回転体の間に設けられることである。押し棒に対して軸方向の下圧力が加えられる時、軸受は作用せず、これにより軸受はスクリューの下向き移動により上向きに回転移動し、これにより動機に回転体、伸縮ロッドを駆動し上向きに回転移動させ、並びに押し棒中に縮入させ、払拭体取付部を伸縮ロッドに伴い回転させ、遠心力を発生させ、該遠心力により払拭体に含まれた水分を放出する。
【考案の効果】
【０００９】
本考案の自転モップは、これまでの足踏み機構により遠心力を形成するモップ脱水方式とは異なり、手動で払拭体取付部及び脱水籠を回転させることにより遠心力を発生させ、大幅にコストを減らすことができる。
【図面の簡単な説明】
【００１０】
【図１】本考案の自転モップの第１実施例の外観図である。
【図２】本考案の自転モップの第１実施例の分解図である。
【図３】本考案の自転モップの第１実施例の別の分解図である。
【図４】本考案の自転モップの第１実施例の組合せ断面図である。
【図５】本考案の自転モップの第１実施例の押し棒の押下表示図である。
【図６】本考案の自転モップの第１実施例の押し棒の引き上げ表示図である。
【図７】本考案の自転モップの第２実施例の押し棒の押下表示図である。
【図８】本考案の自転モップの第２実施例の押し棒の引き上げ表示図である。
【図９Ａ】本考案の自転モップを脱水籠上に置き、並びに押し棒を押し下げる動作表示図である。
【図９Ｂ】本考案の自転モップを脱水籠上に置き、押し棒を引き上げる動作表示図である。
【考案を実施するための形態】
【００１１】
図１は本考案の自転モップの実施例の外観図である。自転モップは固定部材１、伸縮ロッド２、押し棒３、払拭体取付部４及び内部に内蔵される回転装置５（図３参照）を包含する。
【００１２】
図２から図４の本考案の自転モップの分解図及び組合せ断面図に示されるように、該固定部材１は内スリーブ１１と外スリーブ１２を包含する。該内スリーブ１１及び外スリーブ１２はサイズが異なる空心スリーブであり、且つ両者はそれぞれ対向する第１端１１１、１２１と第２端１１２、１２２を有する。内スリーブ１１及び外スリーブ１２の間には相互に対応する接合構造があり、本実施例では、内スリーブ１１の第１端１１１の外表面に第１ネジ山構造１１３が設けられ、外スリーブ１２の第１端１２１の内表面に第２ネジ山構造１２３が設けられている。固定部材１は押し棒３及び伸縮ロッド２の相対長さを固定するのに用いられ、内スリーブ１１及び外スリーブ１２の接合は、本実施例で示されるもののほか、多種類の実施方式が可能であり、例えば、内スリーブ及び外スリーブに位置がずらされた係止構造が設けられ、回転動作により、対応する係止構造が相互に係合し押し棒３と伸縮ロッド２の相対長さを固定する。しかし、この部分は既存の技術の応用であるため、別に図示していない。
【００１３】
該回転装置５は回転体５１、スクリュー５２及び単方向軸受５３を包含する。該回転体５１は対向する第１端５１１と第２端５１２、及び両端を貫通するネジ孔５１３を有する。該スクリュー５２は対向する第１端５２１と第２端５２２を有し、スクリュー５２は軸方向に該ネジ孔５１３を貫通する。スクリュー５２の第１端５２１に位置制限部材５４が設けられ、該位置制限部材５４はリング片５４１とピン５４２を包含し、該リング片５４１は該回転体５１下方のスクリュー５２の第１端５２１に嵌合され、該ピン５４２は径方向に該リング片５４１の下方のスクリュー５２の第１端５２１に挿入され、位置制限部材５４は回転体５１のスクリュー５２からの離脱を防止する。スクリュー５２の第２端５２２の下方には外径がスクリュー５２の第２端５２２より大きいストッパ５５が嵌合され、スクリュー５２の第２端５２２の上方に、該単方向軸受５３が嵌合され、この単方向軸受５３はスクリュー５２を制御して僅かに単一方向のみに回転させ、単方向軸受５３外にブシュ５６が嵌合されている。
【００１４】
上述の押し棒３は空心体とされ、対向する第１端３１と第２端３２を有し、組立完成した回転装置５が押し棒３内部に挿入され、スクリュー５２が押し棒３に平行とされ、回転体５１の第２端５１２が押し棒３の第１端３１の端部開口を塞ぎ、ブシュ５６及びストッパ５５と押し棒３の内表面が緊密に組み合わされるが、ブシュ５６は緊密に押し棒３の端部開口部分に組み合わされて、押し棒３の第２端３２を閉じ、すなわち、単方向軸受５３のスクリュー５２からの離脱を防止する。滑止めカバー６は、ゴム等の材料で形成され、その表面に滑り止め用の凹凸紋様が設けられ、滑止めカバー６は内室６１を有し、前述の閉じられた押し棒３の第２端３２を被包する。
【００１５】
上述の伸縮ロッド２は空心体を呈し、対向する第１端２１と第２端２２を具え、伸縮ロッド２の直径は、該押し棒３の直径より小さい。押し棒３の第１端３１は外スリーブ１２の第２端１２２より挿入され、伸縮ロッド２の第２端２２は内スリーブ１１の第１端１１１より挿入され、並びに上述の回転体５１の第１端５１１と接合され、上述の位置制限部材５４が伸縮ロッド２中に位置づけられる。図４には押し棒３及び伸縮ロッド２が最長連結を形成した状態が示され、このとき、外スリーブ１２及び内スリーブ１１は第１ネジ山構造１１３と第２ネジ山構造１２３が相互に螺合されることにより、押し棒３と伸縮ロッド２の相対長さを固定する。
【００１６】
伸縮ロッド２の第１端２１に連接構造７が設置され、該連接構造７は張力爪型構造に設計されたプラグ７１を包含し、該プラグ７１は雌ネジ構造７１１を有し、張力を具えたプラグ７１は伸縮ロッド２の第１端２１の端部開口を塞ぐ、該連接構造７はさらに一端に雄ネジ構造７２１を有する栓体７２を有し、その雄ネジ構造７２１はプラグ７１の雌ネジ構造７１１と螺合され、栓体７２の別端は延長ロッド８の接続に供され、該延長ロッド８は空心体とされ、対向する第１端８１と第２端８２を具え、該第２端８２に栓体７２が接続され、第１端８１は払拭体を具えた払拭体取付部４に接続され、これによりモップの全体長さを延長できる。
【００１７】
図５、６、図９Ａ及び図９Ｂを参照されたい。上述の実施例の自転モップの使用方式は、図５に示される伸長且つ固定された状態で、払拭作業を行うことができる。事前に容器９を用意し、容器９は自由回転する脱水籠９１を具え、容器９内には水が収容される。モップを洗いたい時は、払拭体を容器９内に入れて洗浄し、さらに払拭体取付部４を脱水籠９１中に入れ、上述の内スリーブ１１と外スリーブ１２を緩め、押し棒３に対して軸方向の下圧力を加え、払拭体取付部４に脱水籠９１の阻止を受けさせる。これによりモップの反作用力により、上述の伸縮ロッド２が押し棒３内に縮入し、並びに回転体５１を押動して上述のスクリュー５２の行程に沿って、滑止めカバー６の方向に上に移動させ、単方向軸受５３が作用を発揮することにより、スクリュー５２は回転せず、ゆえに強制的に回転体５１が移動の過程中に回転する。一端回転体５１が回転すると、伸縮ロッド２と伸縮ロッド２に接続された延長ロッド８、払拭体取付部４及び脱水籠９１が同時に回転して遠心力を発生し、この遠心力が払拭体に含まれた水分を脱水籠より放出させ、並びに容器内に落とす。押し棒３を軸方向に上に引き上げると、ストッパ５５の直径はスクリュー５２の第２端５２２より大きく、且つストッパ５５とスクリュー５２内面は緊密に組み合わされているため、スクリュー５２が押し棒３と同時に上に移動する。スクリュー５２及び回転体５１のネジ孔５１３は螺合されて、単方向軸受５３は作用を発揮せず、このためスクリュー５２は１方向に向けて回転し、回転体５１は軸方向に下に移動してもとの位置に戻り、払拭体取付部４の回転を形成せず、再度押し棒３が押下られてはじめて、払拭体取付部４が自転する。こうして数回、重複して操作することで、払拭体の水分を適当に放出させて、払拭に使用することができる。
【００１８】
図７、図８、図９Ａ及び図９Ｂに示される実施例の、前述の実施例と異なるところは、単方向軸受５３が回転体５１とスクリュー５２の間に設置されていることである。モップが伸長され且つ固定された状態で、払拭作業を行える。事前に容器９を用意し、容器９は自由回転する脱水籠９１を具え、容器９内には水が収容される。モップを洗いたい時は、払拭体を容器９内に入れて洗浄し、さらに払拭体取付部４を脱水籠９１中に入れ、上述の内スリーブ１１と外スリーブ１２を緩め、押し棒３に対して軸方向の下圧力を加え、伸縮ロッド２を押し棒３内に縮入させる。この時、単方向軸受５３は作用せず、ゆえに単方向軸受５３はスクリュー５２の下への移動によりスクリュー５２に沿って回転して上に移動し、同時に回転体５１を駆動して回転させ軸方向に上に移動させ、伸縮ロッド２は回転体５１に結合されているため、回転体５１に伴い上に移動し、押し棒３中に縮入し、払拭体取付部４が伸縮ロッド２に伴い回転し、遠心力を発生し、この遠心力により払拭体に含まれた水分を脱水籠より放出させ、並びに容器内に落とす。押し棒３を軸方向に上に引き上げると、スクリュー５２が上に移動し、このとき、単方向軸受５３が作用し回転せず、これにより、回転体５１、伸縮ロッド２、払拭体取付部４及び脱水籠９１は回転しない。再度押し棒３が押下られてはじめて、払拭体取付部４が自転する。こうして数回、重複して操作することで、払拭体の水分を適当に放出させて、払拭に使用することができる。しかし、払拭体取付部に遠心力を発生させる機構設計は本考案の実施例の方式に限定されるわけではない。
【００１９】
以上は本考案を説明するための好ましい実施例であって、本考案を制限するためのものではなく、同じ創作精神の下で本考案に係りなし得る修飾或いは変更は、いずれも本考案の権利請求範囲に属するものとする。
【符号の説明】
【００２０】
１  固定部材
１１  内スリーブ
１１１  第１端
１１２  第２端
１１３  第１ネジ山構造
１２  外スリーブ
１２１  第１端
１２２  第２端
１２３  第２ネジ山構造
２  伸縮ロッド
２１  第１端
２２  第２端
３  押し棒
３１  第１端
３２  第２端
４  払拭体取付部
５  回転装置
５１  回転体
５１１  第１端
５１２  第２端
５１３  ネジ孔
５２  スクリュー
５２１  第１端
５２２  第２端
５３  単方向軸受
５４  位置制限部材
５４１  リング片
５４２  ピン
５５  ストッパ
５６  ブシュ
６  滑止めカバー
６１  内室
７  連接構造
７１  プラグ
７１１  雌ネジ構造
７２１  雄ネジ構造
７２  栓体
８  延長ロッド
８１  第１端
８２  第２端
９  容器
９１  脱水籠
【図１】
0003162745.tif 000003
【図２】
0003162745.tif 000004
【図３】
0003162745.tif 000005
【図４】
0003162745.tif 000006
【図５】
0003162745.tif 000007
【図６】
0003162745.tif 000008
【図７】
0003162745.tif 000009
【図８】
0003162745.tif 000010
【図９Ａ】
0003162745.tif 000011
【図９Ｂ】
0003162745.tif 000012